(57)【要約】【課題】  化粧料塗布効果が優れると共に、肌への触感も優れる使い心地の良い化粧ブラシ用ブリッスルを提供する。【解決手段】  合成樹脂製モノフィラメントからなり、少なくとも一端にテーパー部を形成したブリッスルであって、前記テーパー部の先端直径が０．０３ｍｍ以上０．１０ｍｍ以下であることを特徴とする化粧ブラシ用ブリッスル。【選択図】  なし【特許請求の範囲】
【請求項１】
合成樹脂製モノフィラメントからなり、少なくとも一端にテーパー部を形成したブリッスルであって、前記テーパー部の先端直径が０．０３ｍｍ以上０．１０ｍｍ以下であることを特徴とする化粧ブラシ用ブリッスル。
【請求項２】
前記テーパー部の先端直径が０．０４ｍｍ以上０．０８ｍｍ以下であることを特徴とする請求項１記載の化粧ブラシ用ブリッスル。
【請求項３】
前記テーパー部以外のブリッスル基部の最大直径が０．０５ｍｍ以上０．２０ｍｍ以下であることを特徴とする請求項１または２記載の化粧ブラシ用ブリッスル。
【請求項４】
前記合成樹脂製モノフィラメントの主成分がポリエステル系樹脂であることを特徴とする請求項１〜３のいずれか１項に記載の化粧ブラシ用ブリッスル。
【発明の詳細な説明】
【技術分野】
【０００１】
本発明は、化粧料塗布効果が優れると共に、肌への触感も優れる化粧ブラシ用ブリッスルに関する。
【背景技術】
【０００２】
従来、化粧ブラシ用毛材としては、獣毛および合成樹脂製ブリッスルなどが多用されてきた。
【０００３】
これらの内でも、獣毛は、化粧液の保持性が良く、毛腰が柔軟で使用感が良好とされていたが、近年では動物愛護の風潮により入手が困難となりつつあり、しかも使用者によっては動物性アレルギーにより使用できないケースがあるという問題があった。
【０００４】
一方、合成樹脂製ブリッスルは、獣毛とは違い工業的な大量生産が可能であり、動物性アレルギーを発症させることもないが、特に円形断面の直線状モノフィラメントの先端を尖鋭なテーパー状としたブリッスルは、尖鋭な先端部が絡み合ったり、化粧ブラシとして使用した場合に穂先がつぶれて広がり、細い線が描きにくくなるばかりか、肌への触感が獣毛に比べて硬く、しなやかさに欠けるという問題があった。
【０００５】
これらの問題点を改善するための技術としては、ブリッスルの先端にテーパーを形成した丸断面糸と異形断面糸とを混毛した筆穂（例えば、特許文献１参照）が提案されているが、これにより化粧液の保持性は向上するものの、その離脱性の改良についてはいまだに十分ではなく、異形断面糸の凹凸を大きくし過ぎたりすると、ブラシに化粧液が保持または離脱しにくくなるばかりか、肌触りも柔らかな触感に欠けるものとなり、毛さばき性の面においても獣毛には及ばないという問題点が残されていた。
【特許文献１】実開平４−１２４６８３号公報（第１頁）
【発明の開示】
【発明が解決しようとする課題】
【０００６】
本発明は、上述した従来の合成樹脂製ブリッスルが有する問題点の解決を課題として検討した結果達成されたものであり、その目的とするところは、先端部に毛腰を備え、均一に化粧料を塗布することができ、かつ肌への触感も獣毛に匹敵して優れた化粧ブラシ用ブリッスルを提供することにある。
【課題を解決するための手段】
【０００７】
本発明者らは、上記の課題を達成するために鋭意検討した結果、合成樹脂製ブリッスルのテーパー部の先端を非尖鋭とすることにより上記目的が効果的に達成できることを見出し、本発明に到達した。
【０００８】
すなわち、上記の目的を達成するために、本発明によれば、合成樹脂製モノフィラメントからなり、少なくとも一端にテーパー部を形成したブリッスルであって、前記テーパー部の先端直径が０．０３ｍｍ以上０．１０ｍｍ以下であることを特徴とする化粧ブラシ用ブリッスルが提供される。
【０００９】
なお、本発明の化粧ブラシ用ブリッスルにおいては、
前記テーパー部の先端直径が０．０４ｍｍ以上０．０８ｍｍ以下であること、
前記テーパー部以外のブリッスル基部の最大直径が０．０５ｍｍ以上０．２０ｍｍ以下であること、および
前記合成樹脂製モノフィラメントの主成分がポリエステル系樹脂であること
が、いずれも好ましい条件であり、これらの条件を適用した場合には、さらに好適な性能を発現することができる。
【発明の効果】
【００１０】
本発明によれば、以下に説明するとおり、先端部に毛腰を備え、均一に化粧料を塗布することができ、かつ肌への触感も獣毛に匹敵して優れた化粧ブラシ用ブリッスルを得ることができる。
【発明を実施するための最良の形態】
【００１１】
以下に本発明について詳細に説明する。
【００１２】
本発明の化粧ブラシ用ブリッスルには、公知の溶融紡糸方法によって製造された合成樹脂製モノフィラメントが使用される。その素材については特に限定しないが、テーパー部を公知のアルカリ溶解法によって形成する場合には、ポリエステル系樹脂、具体的にはポリブチレンテレフタレート（以下、ＰＢＴと略称する）、ポリエチレンテレフタレート、ポリプロピレンテレフタレート、あるいはこれらを主体とする共重合体やブレンドが適している。つまり、アルカリ溶解法によれば、滑らかなテーパー形状が得られ、肌触り良好なブリッスルを得ることができるからである。
【００１３】
上記合成樹脂製モノフィラメントの断面形状については、使用される化粧液の性状によって、円形、楕円形、多葉形、多角形または芯鞘複合断面などの中から適切な形状のものを選定する必要がある。なお、この合成樹脂製モノフィラメントには、本発明の目的を阻害しない範囲であれば、耐熱剤、耐候剤、耐光剤、酸化防止剤、帯電防止剤、抗菌剤、着色剤および可塑剤などの添加剤を任意に含有させることができる。
【００１４】
また、本発明の化粧ブラシ用ブリッスルは、テーパー先端部を非尖鋭とすることが必須の要件とするが、上記モノフィラメントからなるブリッスルへの非尖鋭テーパー部の形成は公知の方法が適用可能であり、例えば化学処理によって行う場合は、モノフィラメントを直線状に束ねてテープ等で周囲を保護し、これを必要な長さにカットした後、このブリッスル束の一端をアルカリ液に浸漬させる際のアルカリ濃度、浸漬温度、および浸漬時間等を適宜調整することにより、先端が非尖鋭のテーパー部を形成することができる。また、上記の方法により先端が完全に尖鋭のブリッスルを作成し、このブリッスルの先端部のみを機械的に切断することによっても、先端が非尖鋭のテーパー部を形成することができる。
【００１５】
本発明の化粧ブラシ用ブリッスルのテーパー先端部の直径は、０．０３ｍｍ以上０．１０ｍｍ以下、好ましくは０．０４ｍｍ以上０．０８ｍｍ以下の範囲であることが重要である。テーパー先端部直径が０．０３ｍｍ以下であると、先端部が柔軟すぎて化粧ブラシとして使用したときに穂先がつぶれ細い線が描きにくくなるという好ましくない傾向が招かれる。また、テーパー先端部直径が０．１０ｍｍ以上であると、先端部に過度の柔軟性が残っており、肌への触感が悪くなるため好ましくない。
【００１６】
また、本発明の化粧ブラシ用ブリッスルの、テーパー部以外の部分を占める最大基部直径は、０．０４ｍｍ以上０．２０ｍｍ以下、特に０．０７ｍｍ以上０．１５ｍｍ以下の範囲であることが好ましい。
【００１７】
ブリッスル基部の最大直径が前記範囲以下であると、先端部にテーパーを形成しにくくなりるばかりか、毛腰がなく毛折れする傾向が招かれる場合があり、上記の範囲以上であると、肌に対する触感が悪くなる場合がある。
【００１８】
本発明の化粧ブラシ用ブリッスルは、これを適宜な長さに切断してブラシ基体に植毛することにより、アイライナーブラシ、マスカラブラシ、ファンデーションブラシ、パウダーブラシ、眉墨ブラシ、ネールブラシおよびルージュブラシ等の化粧ブラシとして使用されるが、その場合には、ブラシ先端部に毛腰を備え、均一に化粧料を塗布することができるばかりか、肌への触感も獣毛に匹敵して優れるという今までにない効果を発揮する。
【実施例】
【００１９】
以下に、本発明を実施例に基づいて説明する。実施例における化粧ブラシ用ブリッスルを植毛した化粧ブラシにおける性能評価は次の方法により行った。なお、化粧ブラシについては、実施例における化粧ブラシ用ブリッスルを金具に植毛し、金具を軸に接合することにより製作したアイライナーブラシで評価を実施した。
【００２０】
［化粧料塗布性能］
液体化粧料（資生堂：ｆｆ  プラネタリウムアイズ  パールブルー）を、下記の方法で作成したアイライナーブラシで紙に１０ｃｍ塗布し、持続的且つ均一に塗布できた長さを測定した。また成人女性１５名に対して、下記の方法で作成したアイライナーブラシで前記液体化粧料を塗布してもらい、その塗布性能についての回答を得た。判定基準は以下の三段階とした。
判定：Ａ・・細い線が持続的に塗布できる
Ｂ・・持続的には塗布できないが実用上問題なし
Ｃ・・穂先が広がり、塗布性能に問題がある。
【００２１】
［肌への触感］
上記実験と同時に肌への触感についても回答を得た。判定基準は以下の五段階とした。
判定：１・・柔軟であり獣毛に匹敵する触感
２・・獣毛には劣るが良好な触感
３・・特に良い触感ではないが実用上問題なし
４・・肌への刺激や柔軟性不足が感じられ、やや悪い触感
５・・肌への刺激や柔軟性不足が顕著であり、悪い触感
【００２２】
［実施例１］
ＰＢＴ（東レ製”トレコン”１２００Ｓ）を用いて、まずこの原料を９０℃で５時間予備乾燥し、次いで１３０℃で１２時間真空乾燥機にて乾燥した。この乾燥原料を押出し機に投入し、２５０℃に加熱溶融させた樹脂を、糸断面形状に対応する丸断面形状のノズルから押し出し、直ちに４０℃の温水中で冷却、この未延伸糸を６０℃の温水浴、１３０℃の乾熱化を通過させ、合計４．６０倍に延伸した。次いで、この延伸糸を１６０℃乾熱下で０．８５倍に熱セットすることにより、最大直径０．１０ｍｍの円形断面モノフィラメントを得た。
【００２３】
次に、上記で得たモノフィラメントを束ねた上で紙テープを巻くことにより、直径４５ｍｍの束状とし、これを約４２ｍｍの長さにカットした後、このブリッスル束の片端を水酸化ナトリウム水溶液中に浸漬し、長さ３７ｍｍの片端に先端直径０．０５ｍｍの非尖鋭テーパー部を形成したブリッスルを作成した。さらに、このブリッスルを金具に植毛し、軸に接合することにより、アイライナーブラシを作製した。
【００２４】
［実施例２］
実施例１において、先端直径を０．０７ｍｍの非尖鋭テーパー部とした以外は、同様の方法でアイライナーブラシを作製した。
【００２５】
［比較例１］
実施例１において、先端直径を０．０１ｍｍの尖鋭なテーパー部とした以外は、同様の方法でアイライナーブラシを作製した。
【００２６】
［比較例２］
実施例１において、ブリッスル基部の最大直径を０．１５ｍｍとし、端部にテーパー加工を加えない以外は、実施例１と同様の方法でアイライナーブラシを作製した。
【００２７】
［比較例３］
実施例１において、モノフィラメント直径を０．１５ｍｍとし、先端直径０．１２ｍｍの非尖鋭テーパー部とした以外は、同様の方法でアイライナーブラシを作製した。
【００２８】
上記の各アイライナーブラシについて評価した結果を下記に示す。
【００２９】
【表１】
2005204784.tif 000002
【００３０】
表１の結果から明らかなように、実施例１および２のブラシは、化粧液を過不足なく保持するとともに、塗布した際に均一に塗布することができ、獣毛を上まわる塗布性能を示した。また、毛腰が柔軟であり肌への触感も獣毛に匹敵すると評価された。
【００３１】
これに対し、比較例１のブラシは、肌への触感は良好であるが、化粧液を塗布する際にブラシの穂先がつぶれて不均一となり、実施例１のブラシに劣るものとなった。また、ブリッスル端部をテーパーとしない比較例２および３のブラシは、化粧液の保持性、離脱性が実施例１のブラシより劣り、さらに肌への触感についてもテーパーが無いもの、および先端直径が太いものは、毛腰が強く実施例１のブラシに劣るものであった。
【産業上の利用可能性】
【００３２】
以上説明したように、本発明の化粧ブラシ用ブリッスルによれば、化粧液の塗布効果が優れると共に、肌への触感も優れ使い心地が良いという効果が得られることから、アイライナーブラシ、マスカラブラシ、ファンデーションブラシ、パウダーブラシ、眉墨ブラシ、ネールブラシおよびルージュブラシ等の化粧ブラシとして有用であり、特に化粧品を好む女性にとって寄与するところが大きい。